(57)【特許請求の範囲】
【請求項１】
インスタント通信のための情報追加修正方法であって、
送信側の送信済み誤り情報を特定するステップと、
前記送信済み誤り情報の特定により、前記送信済み誤り情報を修正するステップと、
誤り修正情報を受信側に送信するステップと、を含み、
前記送信済み誤り情報を特定するステップは、
前記送信側の送信済み誤り情報に標識付けるステップと、
前記送信側の前記送信済み誤り情報の標識に基づいて前記送信済み誤り情報を特定するステップと、を含み、
前記誤り修正情報を送信するステップは、
前記誤り修正情報に対して、前記送信済み誤り情報の標識に対応する標識を付けるステップと、
標識付けられた前記誤り修正情報を前記受信側に送信するステップと、を含み、
前記送信側の送信済み誤り情報に標識付けるステップは、
前記送信側の端末のインスタント通信用端末ソフトウェアプロトコルを修正することによって、前記送信側の端末に表示される前記送信側の送信済み情報と前記送信側の全ての受信済み情報との中から前記送信側の送信済み情報だけを自動的に認識するステップと、
認識した前記送信済み情報に基づいて前記送信側の送信済み誤り情報に標識付けるステップと、を含み、
前記受信側は、前記誤り修正情報を利用して、前記送信側から受信した前記送信済み誤り情報を修正することを特徴とする情報追加修正方法。
【請求項２】
請求項１に記載の情報追加修正方法であって、
前記受信側による、前記誤り修正情報を利用して、前記送信側から受信した前記送信済み誤り情報を修正する処理は、
前記誤り修正情報の標識に基づいて、前記誤り修正情報を前記送信済み誤り情報に対応付ける処理と、
前記誤り修正情報に基づいて前記送信済み誤り情報を修正する処理と、を含むことを特徴とする情報追加修正方法。
【請求項３】
請求項１に記載の情報追加修正方法であって、
転送プロトコルを修正することによって、前記誤り修正情報を前記受信側に送信することを特徴とする情報追加修正方法。
【請求項４】
請求項３に記載の情報追加修正方法であって、
情報表示プロトコルを修正することによって、修正された送信済み誤り情報の表示方式を定義することを特徴とする情報追加修正方法。
【請求項５】
請求項１乃至４のいずれか１項に記載の情報追加修正方法であって、
前記方法は、テキスト情報通信に適用されることを特徴とする情報追加修正方法。
【請求項６】
請求項１乃至４のいずれか１項に記載の情報追加修正方法であって、
前記方法は、インスタントメッセージ通信に適用されることを特徴とする情報追加修正方法。
【請求項７】
請求項１乃至４のいずれか１項に記載の情報追加修正方法であって、
前記方法は、ショートメッセージ通信に適用されることを特徴とする情報追加修正方法。
【請求項８】
インスタント通信のための情報追加修正システムであって、
送信側の送信済み誤り情報を特定する情報特定手段と、
前記送信済み誤り情報の特定により、前記送信済み誤り情報を修正する誤り修正手段と、
誤り修正情報を受信側に送信する修正送信手段と、
前記誤り修正情報を利用して、前記受信側が前記送信側から受信した前記送信済み誤り情報を修正する情報修正手段と、を備え、
前記情報特定手段は、
前記送信側の送信済み誤り情報に標識付ける情報標識付け部と、
前記送信側の前記送信済み誤り情報の標識に基づいて前記送信済み誤り情報を特定する情報特定部と、を備え、
前記修正送信手段は、
前記誤り修正情報に対して、前記送信済み誤り情報の標識に対応する標識を付ける修正標識付け部と、
標識付けられた前記誤り修正情報を前記受信側に送信する修正送信部と、を備え、
前記情報標識付け部は、前記送信側の端末のインスタント通信用端末ソフトウェアプロトコルを修正することによって、前記送信側の端末に表示される前記送信側の送信済み情報と前記送信側の全ての受信済み情報との中から前記送信側の送信済み情報だけを自動的に認識し、認識した前記送信済み情報に基づいて前記送信側の送信済み誤り情報に標識付けることを特徴とする情報追加修正システム。
【請求項９】
請求項８に記載の情報追加修正システムであって、
前記情報修正手段は、
前記誤り修正情報の標識に基づいて、前記誤り修正情報を前記送信済み誤り情報に対応付ける情報対応付け部と、
前記誤り修正情報に基づいて前記送信済み誤り情報を修正する情報修正部と、を備えることを特徴とする情報追加修正システム。
【請求項１０】
請求項８に記載の情報追加修正システムであって、
転送プロトコルを修正することによって、前記誤り修正情報を前記受信側に送信することを特徴とする情報追加修正システム。
【請求項１１】
請求項１０に記載の情報追加修正システムであって、
情報表示プロトコルを修正することによって、修正された送信済み誤り情報の表示方式を定義することを特徴とする情報追加修正システム。
【請求項１２】
請求項８乃至１１のいずれか１項に記載の情報追加修正システムであって、
前記システムは、テキスト情報通信に適用されることを特徴とする情報追加修正システム。
【請求項１３】
請求項８乃至１１のいずれか１項に記載の情報追加修正システムであって、
前記システムは、インスタントメッセージ通信に適用されることを特徴とする情報追加修正システム。
【請求項１４】
請求項８乃至１１のいずれか１項に記載の情報追加修正システムであって、
前記システムは、ショートメッセージ通信に適用されることを特徴とする情報追加修正システム。
【発明の詳細な説明】
【技術分野】
【０００１】
本発明は通信分野に関し、具体的には、情報追加修正方法に関する。
【背景技術】
【０００２】
各種類の通信技術の普及につれて、コミュニケイション方式は多くなり、形式も多様となっており、ＰＣ、携帯電話などの様々な装置は情報の担い手となっている。
各種類のハードウェア条件の制限や応用シーンの制限に基づき、可視テキスト情報によるコミュニケイションはより人気となる。テキスト方式（例えば、ショートメッセージ）による通信、特にインスタントメッセンジャー（例えば、ＱＱ、ＭＳＮなど）によるチャットに際しては、コミュニケイションを順調に、迅速にするためには、通常、情報入力を速くにする必要があり、習慣的にボタンを押して送信してから、入力方法、操作ミスなどの様々な原因による情報入力の誤りに気づいてしまい、相手に迷惑を掛け、本当の意味が分かっていても悪い気持ちとなり、特に両方の情報とも可視である場合、通常、送信者は改めて入力して明らかにするか、又は一連の操作（コピー、修正、送信）を行って明らかにすることとなる。しかしながら、それらのミスはそのままチャット履歴に残され、削除することはできなくなる。
もし、誤った情報を修正するとともに、両方のスクリーンをリフレッシュし、誤った文字を完全に削除すること又は修正内容に標識付けることができれば、ユーザにより優れたコミュニケイション体験をもたらすことができる。
【発明の開示】
【発明が解決しようとする課題】
【０００３】
上記に記載の１つ又は複数の課題に鑑みて、本発明は、情報追加修正方法を提供している。
【課題を解決するための手段】
【０００４】
本発明に係る情報追加修正方法は、送信側の送信済み誤り情報を定位するステップＳ１０２と、送信済み誤り情報の定位により、送信済み誤り情報を修正するステップＳ１０４と、誤り修正情報を受信側に送信するステップＳ１０６と、誤り修正情報を利用して、受信側が送信側から受信した送信済み誤り情報を修正するステップＳ１０８と、を含む。
本発明に係る情報追加修正システムは、送信側の送信済み誤り情報を定位する情報定位手段と、送信済み誤り情報の定位により、送信済み誤り情報を修正する誤り修正手段と、誤り修正情報を受信側に送信する修正送信手段と、誤り修正情報を利用して、受信側が送信側から受信した送信済み誤り情報を修正する情報修正手段とを備える。
【発明の効果】
【０００５】
本発明によれば、誤った情報に対して修正を行うとともに、両方のスクリーンをリフレッシュして、誤った文字を完全に削除すること又は修正内容に標識付けることができるので、ユーザにより優れたコミュニケイション体験をもたらすことができる。
【発明を実施するための最良の形態】
【０００６】
以下、図面を参照して、インスタントメッセンジャーを例として本発明の実施の形態を詳しく説明する。
リアルタイム通信の登場は、インターネットと密接な関係が有り、技術的には、インスタントメッセンジャー（Ｉｎｓｔａｎｔ  Ｍｅｓｓｅｎｇｅｒ、ＩＭと略称）は、完全にＴＣＰ／ＩＰネットワークプロトコルスイートに基づくものである。最初のＩＭ製品であるＩＣＱが発明された後、インスタント通信の技術と機能は基本的に実現されており、その動作原理は人々に理解され始めているが、メーカーによってインスタント通信技術原理の実現に際して採用されるプロトコルが大きく異なっており、今まで、世界中の主要な幾つかのＩＭサービス提供者は、それらのインスタント通信製品の専用プロトコルを依然として公布していない。しかしながら、現在の製品の新機能が如何に豊富にも拘わらず、最も基本のサービスを提供するＩＭシステムの基本原理と構造に従わなければならない。
【０００７】
まず、ユーザＡは、自分のユーザネーム（ｕｓｅｒ  ｎａｍｅ）とパスワードとを入力してインスタント通信サーバにログインする。インスタント通信サーバは、ユーザデータベースを読み取ることによって、ユーザの身元を検証し、ユーザネーム、パスワードが全て正確であれば、ユーザＡのＩＰアドレス、ＩＭクライアントソフトウェアのバージョン番号、及び使用するＴＣＰ／ＵＤＰポート番号を登録しており、ユーザＡのログインが成功のフラグ（ｆｌａｇ）を返し、この時、ユーザＡのＩＭシステムにおける状態がオンラインプレゼンス（Ｏｎｌｉｎｅ  Ｐｒｅｓｅｎｃｅ）となる。
次に、ユーザＡのＩＭサーバに記憶されたバディリスト（Ｂｕｄｄｙ  Ｌｉｓｔ）に基づき、ユーザＡのオンラインプレゼンスの関連情報を同時にオンラインプレゼンスとなるインスタント通信バディのコンピュータに送信し、これらの情報は、オンラインプレゼンス状態、ＩＰアドレス、ＩＭクライアントで使用するＴＣＰポート番号などを含み、インスタント通信バディコンピュータにおけるインスタント通信ソフトウェアは、この情報を受信した後、コンピュータのデスクトップ上に小さなウィンドウをポップアップして提示する。
そして、インスタント通信サーバは、ユーザＡのサーバに記憶されているバディリスト及び関連情報をユーザＡのコンピュータに送信し、これらの情報もオンラインプレゼンス状態、ＩＰアドレス、ＩＭクライアントの使用するＴＣＰポート番号などの情報を含み、ユーザＡのコンピュータ上のＩＭクライアントは受信後に、これらのバディリスト及びそれらのオンラインプレゼンス状態を表示する。
【０００８】
次に、ユーザはあるバディと連絡しようとすれば、下記の幾つかの方式を採用可能である。
１．オンラインプレゼンス直接通信
ユーザＡは、オンラインプレゼンスバディであるユーザＢとチャットしようと思って、サーバを介して直接に送信されてきたユーザＢのＩＰアドレス、ＴＣＰポート番号などの情報に基づき、ユーザＢのコンピュータにチャット情報を送信し、ユーザＢのＩＭクライアントソフトウェアは、受信した後にスクリーンに表示する。そして、ユーザＢは、ユーザＡのコンピュータに直接返答することとなり、このようにして、両方のインスタントテキストメッセージがＩＭサーバによる中継ではなく、ネットワークによるピアツーピアの直接通信を介することとなり、これをピアツーピア通信方式（Ｐｅｅｒ  Ｔｏ  Ｐｅｅｒ）と呼ぶ。
２．オンラインプレゼンス代理通信
ビジネス用インスタント通信システムにおいて、ファイアウォール、ネットワーク速度などの原因でユーザＡとユーザＢとのピアツーピア通信が確立し難くなったり又は低速になったりすれば、ＩＭサーバは依然としてメッセージ中継サービスを提供する、即ち、ユーザＡ、Ｂのインスタントメッセージの全てをまずＩＭサーバに送信し、サーバによって相手に転送する。
【０００９】
３．オフラインプレゼンス代理通信
ユーザＡとユーザＢとが様々な原因で同時にオンラインプレゼンスとなることができないとき、ユーザＡがメッセージをユーザＢに送信すれば、ＩＭサーバはユーザＡのメッセージを自発的に保管しており、ユーザＢの次のログインに際して、メッセージを自動的にユーザＢに転送することとなる。
４．拡張方式通信
ユーザＡは、ＩＭサーバを介して情報を拡張された方式にてユーザＢに伝送可能であり、例えば、ショートメッセージ送信方式にてユーザＢの携帯電話に、ファクシミリ送信方式にてユーザＢの電話機に、ｅｍａｉｌの方式にてユーザＢのメールボックスに、それぞれ送信可能である。
上記の４つの通信方式から見れば、遣り取り情報は主にクライアントに格納されており、ＩＭサーバは、主にクライアントログインと情報転送の機能を提供している。
【００１０】
本発明は、該当するクライアントプロトコルを修正することによって、情報の追加修正を実現可能である。
まず、端末ソフトウェアプロトコルを修正し、全てのメッセージエントリに標織付けて、表示部分に対応付ける。これによって、カーソルが送信済み情報領域に位置する場合、又は、情報入力領域が送信済み目標情報に戻る場合、自分が送信した情報であるか否かを自発的に認識可能であり、該当するメッセージ番号を認識するが、受信した情報について、変更不可とする。
次に、追加修正情報をサポートできるように、転送プロトコルを修正する。目標情報を修正して送信し、追加情報として標識付けており、受信側はプロトコルに従いこの修正情報を認識し、該当する情報エントリを更新するとともに、表示部分との対応関係に基づいて表示メッセージ内容を更新し、スクリーンをリフレッシュする。
最後に、情報表示プロトコルを修正し、修正後の表示効果を定義する。リフレッシュ後の表示領域の内容は、元の誤った内容に代えて修正後の内容であってもよいし、元の内容を基礎とし様々な方式にて修正部分に標識付けても良いし、又は、正しい情報を元の情報の下にそのまま再表示しても良い。
【００１１】
具体的に、図１を参照して、本発明の実施形態に係る情報追加修正方法を説明する。図１に示すように、当該情報追加修正方法では、送信側の送信済み誤り情報を定位するステップＳ１０２と、送信済み誤り情報の定位により、送信済み誤り情報を修正するステップＳ１０４と、誤り修正情報を受信側に送信するステップＳ１０６と、誤り修正情報を利用して、受信側が送信側から受信した送信済み誤り情報を修正するステップＳ１０８と、を含む。
なお、ステップＳ１０２は、送信側の送信済み情報に標識付けるステップＳ１０２２と、送信側の送信済み誤り情報の標識に基づいて送信済み誤り情報を定位するＳ１０２４と、を含む。
なお、ステップＳ１０６は、誤り修正情報に対して、送信済み誤り情報の標識に対応する標識を付けるステップＳ１０６２と、標識付けられた誤り修正情報を受信側に送信するステップＳ１０６４と、を含む。
なお、ステップＳ１０８は、誤り修正情報の標識に基づいて、誤り修正情報を送信済み誤り情報に対応付けるステップＳ１０８２と、誤り修正情報に基づいて送信済み誤り情報を修正するステップＳ１０８４と、を含む。
【００１２】
ここで、好適な方法を多様に採用して、修正すべき情報エントリに速く定位し、速くて便利な各種類の編集方式にて目標情報を修正し、追加プロトコルにてメッセージを送信することによって、受信側に追加情報として認識させることができるとともに、痕なしリフレッシュや標識追加リフレッシュの新規方式にて両方又は両方以上の表示を同時にリフレッシュする。
これより、本発明に係る情報追加修正方法において、メッセージ送信側は、相手に表示されたメッセージフレームを介して誤った送信済み情報に定位し、通信伝送装置に追加修正プロトコルを追加することによって、送信済みメッセージの誤り部分に対して追加修正を行うことによって、受信側での表示情報を痕なしリフレッシュさせるか、又は元のテキストを基礎とし修正内容に標識付けるか、又は他の各種類の提示手段を介して修正後の情報を受信者に提示する。
【００１３】
図２を参照して、本発明の実施形態に係る情報追加修正システムを説明する。図２に示すように、当該情報追加修正システムは、送信側の送信済み誤り情報を定位する情報定位手段２０２と、送信済み誤り情報の定位により、送信済み誤り情報を修正する誤り修正手段２０４と、誤り修正情報を受信側に送信する修正送信手段２０６と、誤り修正情報を利用して、受信側が送信側から受信した送信済み誤り情報を修正する情報修正手段２０８とを備える。
なお、情報定位手段２０２は、送信側の送信済み情報に標識付ける情報標識付け部２０２２と、送信側の送信済み誤り情報の標識に基づいて送信済み誤り情報を定位する情報定位部２０２４とを備える。
なお、修正送信手段２０６は、誤り修正情報に対して、送信済み誤り情報の標識に対応する標識を付ける修正標識付け部２０６２と、標識付けられた誤り修正情報を受信側に送信する修正送信部２０６４とを備える。
なお、情報修正手段２０８は、誤り修正情報の標識に基づいて、誤り修正情報を送信済み誤り情報に対応付ける情報対応付け部２０８２と、誤り修正情報に基づいて送信済み誤り情報を修正する情報修正部２０８４とを備える。
【００１４】
本発明によれば、メッセージ通信中のミスによる誤りを迅速に修正し、両方のスクリーンに同時にリフレッシュすることができるので、様々な原因で生成されたテキスト又は他の情報の誤りを解消し得、両方のコミュニケイション中の体験を改良し、特に、ＰＤＡ、携帯電話などのキーパッドの入力装置において、ユーザによる情報修正入力動作を大きく減少させる。
以上記載の内容は本発明の一実施形態にすぎず、本発明を限定するものではなく、当業者にとって、本発明は様々な修正や変更が可能である。本発明の精神と原則の範囲内で行った如何なる修正、交換、改良などは本発明の特許請求の範囲内に含まれる。
【図面の簡単な説明】
【００１５】
【図１】図１は、本発明の実施形態による情報追加修正方法のフローチャートである。
【図２】図２は、本発明の実施形態による情報追加修正システムのブロック図である。
【符号の説明】
【００１６】
２０２  情報定位手段
２０２２  情報標識付け部
２０２４  情報定位部
２０４  誤り修正手段
２０６  修正送信手段
２０６２  修正標識付け部
２０６４  修正送信部
２０８  情報修正手段
２０８２  情報対応付け部
２０８４  情報修正部
【図１】
0005294727.tif 000002
【図２】
0005294727.tif 000003